(57)【要約】  無線通信システムにおける少なくとも１つのセカンダリセル（ＳＣｅｌｌ）の非活性化タイマを制御するための方法および装置を提供する。ユーザ機器の少なくとも１つのＳＣｅｌｌの非活性化タイマ制御するための方法は、物理ダウンリック制御チャネル（ＰＤＣＣＨ）を介してネットワークノードから制御指示を受信し、且つ前記制御指示に従って、少なくとも１つのＳＣｅｌｌの非活性化タイマを制御することであって、前記制御指示は、少なくとも１つのＳＣｅｌｌの非活性化タイマに対する制御を指示することを含む。
2021505047.tif 000002
【特許請求の範囲】
【請求項１】
無線通信システムにおける少なくとも１つのセカンダリセル（ＳＣｅｌｌ）の非活性化タイマを制御するためのユーザ機器であって、
メモリ、
トランシーバ、および
前記メモリと前記トランシーバに結合されたプロセッサを含み、
前記プロセッサは、
物理ダウンリック制御チャネル（ＰＤＣＣＨ）を介してネットワークノードから制御指示を受信するように前記トランシーバを制御し、前記制御指示は、前記少なくとも１つのＳＣｅｌｌの前記非活性化タイマに対する制御を指示し、および
前記制御指示に従って、前記少なくとも１つのＳＣｅｌｌの前記非活性化タイマを制御するように構成される、前記無線通信システムの少なくとも１つのセカンダリセル（ＳＣｅｌｌ）の非活性化タイマを制御するためのユーザ機器。
【請求項２】
前記ＰＤＣＣＨは、前記制御指示を含むダウンリック制御情報（ＤＣＩ）を搬送し、前記プロセッサは、前記ＤＣＩに従って前記少なくとも１つのＳＣｅｌｌの前記非活性化タイマを制御するように構成される、
請求項１に記載のユーザ機器。
【請求項３】
前記制御指示は、活性化指示および／または非活性化指示を含む、
請求項１または２に記載のユーザ機器。
【請求項４】
前記トランシーバは、前記少なくとも１つのＳＣｅｌｌの構成を指示する情報を前記ネットワークノードから受信するように構成される、
請求項３に記載のユーザ機器。
【請求項５】
前記プロセッサは、前記ネットワークノードからの、前記少なくとも１つのＳＣｅｌｌの構成を指示する前記情報に従って、活性化されたＳＣｅｌｌおよび／またはサービングセルを識別するように構成される、
請求項４に記載のユーザ機器。
【請求項６】
前記トランシーバは、活性化されたＳＣｅｌｌ上で、前記ＰＤＣＣＨを介して前記ネットワークノードから前記活性化指示を受信するように構成され、前記活性化指示は、前記少なくとも１つのＳＣｅｌｌの前記非活性化タイマに対する活性化を指示し、前記プロセッサは、前記活性化指示に従って、前記少なくとも１つのＳＣｅｌｌの前記非活性化タイマを再開するように構成される、
請求項３ないし５のいずれか一項に記載のユーザ機器。
【請求項７】
前記プロセッサは、前記活性化指示を含む前記ＤＣＩに従って、前記少なくとも１つのＳＣｅｌｌの前記非活性化タイマを再開するように構成される、
請求項６に記載のユーザ機器。
【請求項８】
前記トランシーバは、サービングセル上で、前記ＰＤＣＣＨを介して前記ネットワークノードから前記活性化指示を受信するように構成され、前記活性化指示は、前記少なくとも１つのＳＣｅｌｌの前記非活性化タイマに対する活性化を指示するように構成され、前記プロセッサは、前記活性化指示に従って、前記少なくとも１つのＳＣｅｌｌの前記非活性化タイマを開始または再開するように構成される、
請求項３ないし５のいずれか一項に記載のユーザ機器。
【請求項９】
前記プロセッサは、前記活性化指示を含む前記ＤＣＩに従って、前記少なくとも１つのＳＣｅｌｌの前記非活性化タイマを開始または再開するように構成される、
請求項８に記載のユーザ機器。
【請求項１０】
前記トランシーバは、活性化されたＳＣｅｌｌ上で、前記ＰＤＣＣＨを介して前記ネットワークノードから前記非活性化指示を受信するように構成され、前記非活性化指示は、前記少なくとも１つのＳＣｅｌｌの前記非活性化タイマに対する非活性化を指示し、前記プロセッサは、前記非活性化指示に従って、前記少なくとも１つのＳＣｅｌｌの前記非活性化タイマを停止するように構成される、
請求項３ないし５のいずれか一項に記載のユーザ機器。
【請求項１１】
前記プロセッサは、前記非活性化指示を含む前記ＤＣＩに従って、前記少なくとも１つのＳＣｅｌｌの前記非活性化タイマを停止するように構成される、
請求項１０に記載のユーザ機器。
【請求項１２】
前記トランシーバは、サービングセル上で、前記ＰＤＣＣＨを介して前記ネットワークノードから前記非活性化指示を受信するように構成され、前記非活性化指示は、前記少なくとも１つのＳＣｅｌｌの前記非活性化タイマに対する非活性化を指示し、前記プロセッサは、前記活性化指示に従って、前記少なくとも１つのＳＣｅｌｌの前記非活性化タイマを停止するように構成される、
請求項３ないし５のいずれか一項に記載のユーザ機器。
【請求項１３】
前記プロセッサは、前記活性化指示を含む前記ＤＣＩに従って、前記少なくとも１つのＳＣｅｌｌの前記非活性化タイマを停止するように構成される、
請求項１２に記載のユーザ機器。
【請求項１４】
ユーザ機器の少なくとも１つのセカンダリセル（ＳＣｅｌｌ）の非活性化タイマを制御するための方法であって、
物理ダウンリック制御チャネル（ＰＤＣＣＨ）を介してネットワークノードから制御指示を受信することであって、前記制御指示は、前記少なくとも１つのＳＣｅｌｌの前記非活性化タイマに対する制御を指示することと、および
前記制御指示に従って、前記少なくとも１つのＳＣｅｌｌの前記非活性化タイマを制御することとを含む、前記ユーザ機器の少なくとも１つのセカンダリセル（ＳＣｅｌｌ）の非活性化タイマを制御するための方法。
【請求項１５】
前記ＰＤＣＣＨは、前記制御指示を含むダウンリック制御情報（ＤＣＩ）を搬送し、前記方法は、前記ＤＣＩに従って前記少なくとも１つのＳＣｅｌｌの前記非活性化タイマを制御することを含む、
請求項１４に記載の方法。
【請求項１６】
前記制御指示は、活性化指示および／または非活性化指示を含む、
請求項１４または１５に記載の方法。
【請求項１７】
前記ネットワークノードから前記少なくとも１つのＳＣｅｌｌの構成を指示する情報を受信することをさらに含む、
請求項１６に記載の方法。
【請求項１８】
前記ネットワークノードからの、前記少なくとも１つのＳＣｅｌｌの構成を指示する前記情報に従って、活性化されたＳＣｅｌｌおよび／またはサービングセルを識別することをさらに含む、
請求項１７に記載の方法。
【請求項１９】
活性化されたＳＣｅｌｌ上で、前記ＰＤＣＣＨを介して前記ネットワークノードから前記活性化指示を受信し、且つ前記活性化指示に従って、前記少なくとも１つのＳＣｅｌｌの前記非活性化タイマを再開することをさらに含み、前記活性化指示は、前記少なくとも１つのＳＣｅｌｌの前記非活性化タイマに対する活性化を指示する、
請求項１６または１８のいずれか一項に記載の方法。
【請求項２０】
前記活性化指示を含む前記ＤＣＩに従って、前記少なくとも１つのＳＣｅｌｌの前記非活性化タイマを再開することをさらに含む、
請求項１９に記載の方法。
【請求項２１】
サービングセル上で、前記ＰＤＣＣＨを介して前記ネットワークノードから前記活性化指示を受信し、且つ前記活性化指示に従って、前記少なくとも１つのＳＣｅｌｌの前記非活性化タイマを開始または再開することをさらに含み、前記活性化指示は、前記少なくとも１つのＳＣｅｌｌの前記非活性化タイマに対する活性化を指示する、
請求項１６ないし１８のいずれか一項に記載の方法。
【請求項２２】
前記活性化指示を含む前記ＤＣＩに従って、前記少なくとも１つのＳＣｅｌｌの前記非活性化タイマを開始または再開することをさらに含む、
請求項２１に記載の方法。
【請求項２３】
活性化されたＳＣｅｌｌ上で前記ＰＤＣＣＨを介して前記ネットワークノードから前記非活性化指示を受信し、且つ前記非活性化指示に従って、前記少なくとも１つのＳＣｅｌｌの前記非活性化タイマを停止することをさらに含み、前記非活性化指示は、前記少なくとも１つのＳＣｅｌｌの前記非活性化タイマに対する非活性化を指示する、
請求項１６ないし１８のいずれか一項に記載の方法。
【請求項２４】
前記非活性化指示を含む前記ＤＣＩに従って、前記少なくとも１つのＳＣｅｌｌの前記非活性化タイマを停止することをさらに含む、
請求項２３に記載の方法。
【請求項２５】
サービングセル上で、前記ＰＤＣＣＨを介して前記ネットワークノードから前記非活性化指示を受信し、且つ前記活性化指示に従って、前記少なくとも１つのＳＣｅｌｌの前記非活性化タイマを停止することをさらに含み、前記非活性化指示は、前記少なくとも１つのＳＣｅｌｌの前記非活性化タイマに対する非活性化を指示する、
請求項１６ないし１８のいずれか一項に記載の方法。
【請求項２６】
前記活性化指示を含む前記ＤＣＩに従って、前記少なくとも１つのＳＣｅｌｌの前記非活性化タイマを停止することをさらに含む、
請求項２５に記載の方法。
【請求項２７】
無線通信システムにおける少なくとも１つのセカンダリセル（ＳＣｅｌｌ）の非活性化タイマを制御するためのネットワークノードであって、
メモリ、
トランシーバ、および
前記メモリと前記トランシーバに結合されたプロセッサを含み、
前記プロセッサは、
物理ダウンリック制御チャネル（ＰＤＣＣＨ）を介してユーザ機器に制御指示を通知するように前記トランシーバを制御し、前記制御指示は、前記少なくとも１つのＳＣｅｌｌの前記非活性化タイマに対する制御を指示し、および
前記制御指示に従って、前記少なくとも１つのＳＣｅｌｌの前記非活性化タイマを制御するように構成される、前記無線通信システムの少なくとも１つのセカンダリセル（ＳＣｅｌｌ）の非活性化タイマを制御するためのネットワークノード。
【請求項２８】
前記ＰＤＣＣＨは、前記制御指示を含むダウンリック制御情報（ＤＣＩ）を搬送し、前記プロセッサは、前記ＤＣＩに従って前記少なくとも１つのＳＣｅｌｌの前記非活性化タイマを制御するように構成される、
請求項２７に記載のネットワークノード。
【請求項２９】
前記制御指示は、活性化指示および／または非活性化指示を含む、
請求項２７または２８に記載のネットワークノード。
【請求項３０】
前記トランシーバは、前記少なくとも１つのＳＣｅｌｌの構成を指示する情報を前記ユーザ機器に通知するように構成される、
請求項２９に記載のネットワークノード。
【請求項３１】
前記プロセッサは、前記少なくとも１つのＳＣｅｌｌの構成を指示する前記情報に従って、活性化されたＳＣｅｌｌおよび／またはサービングセルを識別するように構成される、
請求項３０に記載のネットワークノード。
【請求項３２】
前記トランシーバは、活性化されたＳＣｅｌｌ上で、前記ＰＤＣＣＨを介して前記ユーザ機器に前記活性化指示を通知するように構成され、前記活性化指示は、前記少なくとも１つのＳＣｅｌｌの前記非活性化タイマに対する活性化を指示し、前記プロセッサは、前記活性化指示に従って、前記少なくとも１つのＳＣｅｌｌの前記非活性化タイマを再開するように構成される、
請求項２９ないし３１のいずれか一項に記載のネットワークノード。
【請求項３３】
前記プロセッサは、前記活性化指示を含む前記ＤＣＩに従って、前記少なくとも１つのＳＣｅｌｌの前記非活性化タイマを再開するように構成される、
請求項３２に記載のネットワークノード。
【請求項３４】
前記トランシーバは、サービングセル上で、前記ＰＤＣＣＨを介して前記ユーザ機器に前記活性化指示を通知するように構成され、前記活性化指示は、前記少なくとも１つのＳＣｅｌｌの前記非活性化タイマに対する活性化を指示し、前記プロセッサは、前記活性化指示に従って、前記少なくとも１つのＳＣｅｌｌの前記非活性化タイマを開始または再開するように構成される、
請求項２９ないし３１のいずれか一項に記載のネットワークノード。
【請求項３５】
前記プロセッサは、前記活性化指示を含む前記ＤＣＩに従って、前記少なくとも１つのＳＣｅｌｌの前記非活性化タイマを開始または再開するように構成される、
請求項３４に記載のネットワークノード。
【請求項３６】
前記トランシーバは、活性化されたＳＣｅｌｌ上で、前記ＰＤＣＣＨを介して前記ユーザ機器に前記非活性化指示を通知するように構成され、前記非活性化指示は、前記少なくとも１つのＳＣｅｌｌの前記非活性化タイマに対する非活性化を指示するように構成され、前記プロセッサは、前記非活性化指示に従って、前記少なくとも１つのＳＣｅｌｌの前記非活性化タイマを停止するように構成される、
請求項２９ないし３１のいずれか一項に記載のネットワークノード。
【請求項３７】
前記プロセッサは、前記非活性化指示を含む前記ＤＣＩに従って、前記少なくとも１つのＳＣｅｌｌの前記非活性化タイマを停止するように構成される、
請求項３６に記載のネットワークノード。
【請求項３８】
前記トランシーバは、サービングセル上で、前記ＰＤＣＣＨを介して前記ユーザ機器に前記非活性化指示を通知するように構成され、前記非活性化指示は、前記少なくとも１つのＳＣｅｌｌの前記非活性化タイマに対する非活性化を指示し、前記プロセッサは、前記活性化指示に従って、前記少なくとも１つのＳＣｅｌｌの前記非活性化タイマを停止するように構成される、
請求項２９ないし３１のいずれか一項に記載のネットワークノード。
【請求項３９】
前記プロセッサは、前記非活性化指示を含む前記ＤＣＩに従って、前記少なくとも１つのＳＣｅｌｌの前記非活性化タイマを停止するように構成される、
請求項３８に記載のネットワークノード。
【請求項４０】
ネットワークノードの少なくとも１つのセカンダリセル（ＳＣｅｌｌ）の非活性化タイマを制御するための方法であって、
物理ダウンリック制御チャネル（ＰＤＣＣＨ）を介してユーザ機器に制御指示を通知することであって、前記制御指示は、前記少なくとも１つのＳＣｅｌｌの前記非活性化タイマに対する制御を指示することと、および
前記制御指示に従って、前記少なくとも１つのＳＣｅｌｌの前記非活性化タイマを制御することとを含む、前記ネットワークノードの少なくとも１つのセカンダリセル（ＳＣｅｌｌ）の非活性化タイマを制御するための方法。
【請求項４１】
前記ＰＤＣＣＨは、前記制御指示を含むダウンリック制御情報（ＤＣＩ）を搬送し、前記方法は、前記ＤＣＩに従って前記少なくとも１つのＳＣｅｌｌの前記非活性化タイマを制御することを含む、
請求項４０に記載の方法。
【請求項４２】
前記制御指示は、活性化指示および／または非活性化指示を含む、
請求項４０または４１に記載の方法。
【請求項４３】
前記少なくとも１つのＳＣｅｌｌの構成を指示する情報を前記ユーザ機器に通知することをさらに含む、
請求項４２に記載の方法。
【請求項４４】
前記少なくとも１つのＳＣｅｌｌの構成を指示する前記情報に従って、活性化されたＳＣｅｌｌおよび／またはサービングセルを識別することをさらに含む、
請求項４３に記載の方法。
【請求項４５】
活性化されたＳＣｅｌｌ上で、前記ＰＤＣＣＨを介して前記ユーザ機器に前記活性化指示を通知し、且つ前記活性化指示に従って、前記少なくとも１つのＳＣｅｌｌの前記非活性化タイマを再開することをさらに含み、前記活性化指示は、前記少なくとも１つのＳＣｅｌｌの前記非活性化タイマに対する活性化を指示する、
請求項４２ないし４４のいずれか一項に記載の方法。
【請求項４６】
前記活性化指示を含む前記ＤＣＩに従って、前記少なくとも１つのＳＣｅｌｌの前記非活性化タイマを再開することをさらに含む、
請求項４５に記載の方法。
【請求項４７】
サービングセル上で、前記ＰＤＣＣＨを介して前記ユーザ機器に前記活性化指示を通知し、且つ前記活性化指示に従って、前記少なくとも１つのＳＣｅｌｌの前記非活性化タイマを開始または再開することをさらに含み、前記活性化指示は、前記少なくとも１つのＳＣｅｌｌの前記非活性化タイマに対する活性化を指示する、
請求項４２ないし４４のいずれか一項に記載の方法。
【請求項４８】
前記活性化指示を含む前記ＤＣＩに従って、前記少なくとも１つのＳＣｅｌｌの前記非活性化タイマを開始または再開することをさらに含む、
請求項４７に記載の方法。
【請求項４９】
活性化されたＳＣｅｌｌ上で、前記ＰＤＣＣＨを介して前記ユーザ機器に前記非活性化指示を通知し、且つ前記非活性化指示に従って、前記少なくとも１つのＳＣｅｌｌの前記非活性化タイマを停止することをさらに含み、前記非活性化指示は、前記少なくとも１つのＳＣｅｌｌの前記非活性化タイマに対する非活性化を指示する、
請求項４２ないし４４のいずれか一項に記載の方法。
【請求項５０】
前記非活性化指示を含む前記ＤＣＩに従って、前記少なくとも１つのＳＣｅｌｌの前記非活性化タイマを停止することをさらに含む、
請求項４９に記載の方法。
【請求項５１】
サービングセル上で、前記ＰＤＣＣＨを介して前記ユーザ機器に前記非活性化指示を通知し、且つ前記活性化指示に従って、前記少なくとも１つのＳＣｅｌｌの前記非活性化タイマを停止することをさらに含み、前記非活性化指示は、前記少なくとも１つのＳＣｅｌｌの前記非活性化タイマに対する非活性化を指示する、
請求項４２ないし４４のいずれか一項に記載の方法。
【請求項５２】
前記活性化指示を含む前記ＤＣＩに従って、前記少なくとも１つのＳＣｅｌｌの前記非活性化タイマを停止することをさらに含む、
請求項５１に記載の方法。
【請求項５３】
非一時的な機械読み取り可能な記憶媒体であって、
命令が記憶され、前記命令がコンピュータによって実行されるときに、前記命令は、前記コンピュータが請求項１４ないし２６に記載のユーザ機器の少なくとも１つのセカンダリセル（ＳＣｅｌｌ）の非活性化タイマを制御するための方法および請求項４０ないし５２のいずれか一項に記載のネットワークノードの少なくとも１つのセカンダリセル（ＳＣｅｌｌ）の非活性化タイマを制御するための方法を実行するようにする、前記非一時的な機械読み取り可能な記憶媒体。
【請求項５４】
端末装置であって、
プロセッサ、およびコンピュータプログラムを記憶するように構成されるメモリを含み、前記プロセッサは、請求項１４ないし２６のいずれか一項に記載のユーザ機器の少なくとも１つのセカンダリセル（ＳＣｅｌｌ）の非活性化タイマを制御するための方法を実行するために、前記メモリに記憶された前記コンピュータプログラムを実行するように構成される、前記端末装置。
【請求項５５】
ネットワークノードであって、
プロセッサ、およびコンピュータプログラムを記憶するように構成されるメモリを含み、前記プロセッサは、請求項４０ないし５２のいずれか一項に記載のユーザ機器の少なくとも１つのセカンダリセル（ＳＣｅｌｌ）の非活性化タイマを制御するための方法を実行するために、前記メモリに記憶されたコンピュータプログラムを実行するように構成される、前記ネットワークノード。
【発明の詳細な説明】
【技術分野】
【０００１】
本発明は、通信システム分野に関し、特に、無線通信システムにおける少なくとも１つのセカンダリセル（ＳＣｅｌｌ：ｓｅｃｏｎｄａｒｙ  ｃｅｌｌ）の非活性化タイマを制御するための方法および装置に関する。
【背景技術】
【０００２】
メディアアクセス制御（ＭＡＣ：ｍｅｄｉｕｍ  ａｃｃｅｓｓ  ｃｏｎｔｒｏｌ）エンティティに１つまたは複数のセカンダリセル（ＳＣｅｌｌ）が構成されている場合、ネットワークは、構成された１つまたは複数のＳＣｅｌｌを活性化および非活性化することができる。ネットワークは、活性化／非活性化ＭＡＣ制御要素（ＣＥ：ｃｏｎｔｒｏｌ  ｅｌｅｍｅｎｔ）を送信することにより、構成された１つまたは複数のＳＣｅｌｌを活性化および非活性化する。加えて、ＭＡＣエンティティは、構成された各ＳＣｅｌｌ（物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）が構成されたＳＣｅｌｌを除く、もし存在すれば）に対して１つの非活性化タイマを維持し、非活性化タイマの期限切れになる場合、関連するＳＣｅｌｌを非活性化する。
【０００３】
ニューラジオ（ＮＲ：ｎｅｗ  ｒａｄｉｏ）システムでは、第３世代パートナーシッププロジェクト（３ＧＰＰ）ワーキンググループのうちの１つである技術仕様グループ無線アクセスネットワークワーキンググループ２（ＴＳＧ−ＲＡＮ  ＷＧ２）は、ＲＡＮ２＃９９ｂｉｓ会議でＭＡＣ  ＣＥを使用してＳＣｅｌｌを活性化または非活性化することを同意し、これはロングタームエボリューション（ＬＴＥ：ｌｏｎｇ  ｔｅｒｍ  ｅｖｏｌｕｔｉｏｎ）システムのベースライン（ｂａｓｅｌｉｎｅ）である。
【０００４】
無線通信システムにおける少なくとも１つのＳＣｅｌｌの非活性化タイマを制御するための新しい技術的解決策を提供する必要がある。
【発明の概要】
【発明が解決しようとする課題】
【０００５】
本開示の目的は、無線通信システムにおける少なくとも１つのセカンダリセルの非活性化タイマを制御するための方法および装置を提案する。
【課題を解決するための手段】
【０００６】
本開示の第１の態様において、無線通信システムにおける少なくとも１つのセカンダリセルの非活性化タイマを制御するためのユーザ機器は、メモリ、トランシーバおよび前記メモリとトランシーバに結合されたプロセッサを含む。前記プロセッサは、ＰＤＣＣＨを介してネットワークノードから制御指示を受信するようにトランシーバを制御し、且つ前記制御指示に従って、少なくとも１つのＳＣｅｌｌの非活性化タイマを制御するように構成され、ここで、前記制御指示は、少なくとも１つのＳＣｅｌｌの非活性化タイマに対する制御を指示する。
【０００７】
本開示の第２の態様において、ユーザ機器の少なくとも１つのＳＣｅｌｌの非活性化タイマを制御するための方法は、ＰＤＣＣＨを介してネットワークノードから制御指示を受信し、前記制御指示に従って、少なくとも１つのＳＣｅｌｌの非活性化タイマを制御することであって、前記制御指示は、少なくとも１つのＳＣｅｌｌの非活性化タイマに対する制御を指示することを含む。
【０００８】
本開示の第３の態様において、無線通信システムにおける少なくとも１つのＳＣｅｌｌの非活性化タイマを制御するためのネットワークノードは、メモリ、トランシーバおよび前記メモリとトランシーバに結合されたプロセッサを含む。前記プロセッサは、ＰＤＣＣＨを介してユーザ機器に制御指示を通知するようにトランシーバを制御し、前記制御指示に従って、少なくとも１つのＳＣｅｌｌの非活性化タイマを制御するように構成され、ここで、前記制御指示は、少なくとも１つのＳＣｅｌｌの非活性化タイマに対する制御を指示する。
【０００９】
本開示の第４の態様において、ネットワークノードの少なくとも１つのＳＣｅｌｌの非活性化タイマを制御するための方法は、ＰＤＣＣＨを介してユーザ機器に制御指示を通知し、前記制御指示に従って、少なくとも１つのＳＣｅｌｌの非活性化タイマを制御するように構成され、ここで、前記制御指示は、少なくとも１つのＳＣｅｌｌの非活性化タイマに対する制御を指示する。
【００１０】
本開示の第５の態様において、非一時的な機械読み取り可能な記憶媒体には、命令が記憶され、前記命令がコンピュータによって実行されるときに、前記命令は、コンピュータが上記の方法を実行するようにする。
【００１１】
本開示の第６の態様において、端末装置は、プロセッサ、およびコンピュータプログラムを記憶するように構成されるメモリを含む。プロセッサは、上記の方法を実行するために、メモリに記憶されたコンピュータプログラムを実行するように構成される。
【００１２】
本開示の第７の態様において、ネットワークノードは、プロセッサ、およびコンピュータプログラムを記憶するように構成されるメモリを含む。プロセッサは、上記の方法を実行するために、メモリに記憶されたコンピュータプログラムを実行するように構成される。
【図面の簡単な説明】
【００１３】
本開示の実施例または関連技術をより明確に説明するために、実施例で説明される以下の図面を簡略的に紹介する。明らかに、これらの図面は、本開示のいくつかの実施例に過ぎず、当業者は、これらの図面に従って寄与することなく他の図面を取得することができる。
【図１】本開示の実施例に係る、無線通信システムにおける少なくとも１つのＳＣｅｌｌの非活性化タイマを制御するためのユーザ機器およびネットワークノードのブロック図である。
【図２】本開示の実施例に係る、ユーザ機器の少なくとも１つのＳＣｅｌｌの非活性化タイマを制御するための方法を示すフローチャートである。
【図３】本開示の実施例に係る、ネットワークノードの少なくとも１つのＳＣｅｌｌの非活性化タイマを制御するための方法を示すフローチャートである。
【図４】本開示の実施例に係る、ユーザ機器とネットワークノードとの間の少なくとも１つのＳＣｅｌｌの非活性化タイマに対する制御を示す概略図である。
【図５】本開示の実施例に係る、ユーザ機器とネットワークノードとの間の少なくとも１つのＳＣｅｌｌの非活性化タイマのための活性化方法の概略図である。
【図６】本開示の別の実施例に係る、ユーザ機器とネットワークノードとの間の少なくとも１つのＳＣｅｌｌの非活性化タイマの活性化方法の概略図である。
【図７】本開示の実施例に係る、ユーザ機器とネットワークとの間の少なくとも１つのＳＣｅｌｌの非活性化タイマの非活性化方法の概略図である。
【図８】本開示の別の実施例に係る、ユーザ機器とネットワークとの間の少なくとも１つのＳＣｅｌｌの非活性化タイマの非活性化方法の概略図である。
【図９】本開示の実施例に係る、無線通信用のシステムのブロック図である。
【発明を実施するための形態】
【００１４】
以下は、図面を参照して、技術的主題、構造的特徴、達成された目的、および効果を通じて本開示の実施例を詳細に説明する。具体的に、本開示の実施例における用語は、特定の実施例を説明するためにのみ使用され、本開示を限定するものではない。
【００１５】
図１は、いくつかの実施例において、ユーザ機器１０およびネットワークノード２０が、本開示の実施例に従って、無線通信システムにおける少なくとも１つのセカンダリセル（ＳＣｅｌｌ）の非活性化タイマを制御することを示す。ＵＥ１０は、プロセッサ１１、メモリ１２およびトランシーバ１３を含み得る。ネットワークノード２０は、プロセッサ２１、メモリ２２、およびトランシーバ２３を含み得る。プロセッサ１１または２１は、前記具体的な実施形態で説明される提案された機能、プロセスおよび／または方法を実現するように構成されることができる。プロセッサ１１または２１で無線インターフェースプロトコルの各層を実現することができる。メモリ１２または２２は、プロセッサ１１または２１に操作可能に結合され、メモリ１２または２２は、プロセッサ１１または２１を操作するために、様々な情報を記憶する。トランシーバ１３または２３は、プロセッサ１１または２１に操作可能に結合され、トランシーバ１３または２３は、無線信号を送信および／または受信する。
【００１６】
プロセッサ１１または２１は、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路および／またはデータ処理装置を含み得る。メモリ１２または２２は、読み取り専用メモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、フラッシュメモリ、メモリカード、記憶媒体および／または他の記憶装置を含み得る。トランシーバ１３または２３は、無線周波数信号を処理するために、ベースバンド回路を含み得る。ソフトウェアで実施例を実現する場合、本明細書に説明された技術は、本明細書で説明された機能のモジュール（プロセス、機能など）を実行することにより実現することができる。これらのモジュールは、メモリ１２または２２に記憶され、さらにプロセッサ１１または２１によって実行されることができる。プロセッサ１１または２１内またはプロセッサ１１または２１の外部でメモリ１２または２２を実現することができ、プロセッサ１１または２１の外部でメモリ１２または２２を実現する場合、メモリ１２または２２は、本分野で周知の様々な方式によってプロセッサ１１または２１に通信可能に結合することができる。
【００１７】
第３世代パートナーシッププロジェクト（３ＧＰＰ）ニューラジオ（ＮＲ）バージョン１６およびより高いバージョンで開発されたサイドシンク（ｓｉｄｅｌｉｎｋ）技術によれば、ＵＥ間の通信は車両対モノ（Ｖ２Ｘ：ｖｅｈｉｃｌｅ−ｔｏ−ｅｖｅｒｙｔｈｉｎｇ）通信に関し、前記Ｖ２Ｘ通信は、車両間（Ｖ２Ｖ：ｖｅｈｉｃｌｅ−ｔｏ−ｖｅｈｉｃｌｅ）、車両対歩行者（Ｖ２Ｐ：ｖｅｈｉｃｌｅ−ｔｏ−ｐｅｄｅｓｔｒｉａｎ）および車両対インフラストラクチャ／ネットワーク（Ｖ２Ｉ／Ｎ：ｖｅｈｉｃｌｅ−ｔｏ−ｉｎｆｒａｓｔｒｕｃｔｕｒｅ／ｎｅｔｗｏｒｋ）を含む。ＵＥは、ＰＣ５インターフェースなどのサイドリンクインターフェースを介してお互い直接に通信する。
【００１８】
いくつかの実施例において、プロセッサ１１は、ＰＤＣＣＨを介してネットワークノード２０から制御指示を受信するようにトランシーバ１３を制御し、前記制御指示に従って、少なくとも１つのＳＣｅｌｌの非活性化タイマを制御するように構成され、ここで、前記制御指示は、少なくとも１つのＳＣｅｌｌの非活性化タイマに対する制御を指示する。
【００１９】
いくつかの実施例において、プロセッサ２１は、ＰＤＣＣＨを介してユーザ機器１０に制御指示を通知するようにトランシーバ２３を制御し、前記制御指示に従って、少なくとも１つのＳＣｅｌｌの非活性化タイマを制御するように構成され、ここで、前記制御指示は、少なくとも１つのＳＣｅｌｌの非活性化タイマに対する制御を指示する。
【００２０】
図２は、本開示の実施例に係る、ユーザ機器１０の少なくとも１つのＳＣｅｌｌの非活性化タイマを制御するための方法２００を示す。前記方法２００は、次のステップを含む。ブロック２０２において、ＰＤＣＣＨを介してネットワークノード２０から制御指示を受信する。およびブロック２０４において、前記制御指示に従って、少なくとも１つのＳＣｅｌｌの非活性化タイマを制御し、ここで、前記制御指示は、少なくとも１つのＳＣｅｌｌの非活性化タイマに対する制御を指示する。
【００２１】
図３は、本開示の実施例に係る、ネットワークノード２０の少なくとも１つのＳＣｅｌｌの非活性化タイマを制御するための方法３００を示す。前記方法３００は、次のステップを含む。ブロック３０２において、ＰＤＣＣＨを介してユーザ機器１０に制御指示を通知する。およびブロック３０４において、前記制御指示に従って、少なくとも１つのＳＣｅｌｌの非活性化タイマを制御し、ここで、前記制御指示は、少なくとも１つのＳＣｅｌｌの非活性化タイマに対する制御を指示する。
【００２２】
図４は、いくつかの実施例において、本開示の実施例に係る、ユーザ機器１０とネットワークノード２０との間の少なくとも１つのＳＣｅｌｌ  ３０の非活性化タイマに対する制御を提供することを示す。ユーザ機器１０は、ネットワークノード２０によって管理される複数のセルと通信することができ、異なる周波数で動作することができる。伝送帯域幅を増加するために、１つのユーザは複数のセルによってサービスされることができ、これらのセルは、ネットワークノード２０で覆られることができる。これらのセルは、プライマリセル（ＰＣｅｌｌ：ｐｒｉｍａｒｙ  ｃｅｌｌ）４０および少なくとも１つのＳＣｅｌｌ  ３０を含む。ＰＣｅｌｌ  ４０は、サービングセルであってもよく、そしてアクティブ状態であり得る。切り替えプロセスを通じてＰＣｅｌｌ  ４０を切り替えることができる。ユーザ機器１０は、ＰＣｅｌｌ  ４０で非アクセス層（ＮＡＳ：ｎｏｎ−ａｃｃｅｓｓ  ｓｔｒａｔｕｍ）情報を送受信し、ＰＣｅｌｌ  ４０で物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）を送信する。
【００２３】
いくつかの実施例において、制御指示は、活性化指示および／または非活性化指示を含む。ＰＤＣＣＨは、制御指示を含むダウンリック制御情報（ＤＣＩ：ｄｏｗｎｌｉｎｋ  ｃｏｎｔｒｏｌ  ｉｎｆｏｒｍａｔｉｏｎ）を搬送する。
【００２４】
トランシーバ１３は、ネットワークノード２０から少なくとも１つのＳＣｅｌｌの構成を指示する情報を受信するように構成される。プロセッサ１１は、ネットワークノード２０からの少なくとも１つのＳＣｅｌｌの構成を指示する情報に従って、活性化されたＳＣｅｌｌおよび／またはサービングセルを識別するように構成される。
【００２５】
いくつかの実施例において、トランシーバ２３は、ユーザ機器１０に少なくとも１つのＳＣｅｌｌの構成を指示する情報を通知するように構成される。プロセッサ２１は、少なくとも１つのＳＣｅｌｌの構成を指示する情報に従って、活性化されたＳＣｅｌｌおよび／またはサービングセルを識別するように構成される。
【００２６】
いくつかの実施例において、ユーザ機器１０は、ネットワークノード２０から少なくとも１つのＳＣｅｌｌ３０の構成を指示する情報を受信するように構成され、例えば、活性化されたＳＣｅｌｌおよび／またはサービングセルは、ＰＤＣＣＨを介してネットワークノード２０から活性化／非活性化指示を受信し、ここで、活性化／非活性化指示は、少なくとも１つのＳＣｅｌｌ  ３０の非活性化タイマに対する活性化／非活性化を指示し、ユーザ機器１０は、活性化／非活性化指示に従って、少なくとも１つのＳＣｅｌｌ  ３０の非活性化タイマを活性化／非活性化するように構成される。
【００２７】
いくつかの実施例において、ネットワークノード２０は、ユーザ機器１０に少なくとも１つのＳＣｅｌｌ  ３０の構成を指示する情報を通知するように構成され、例えば、活性化されたＳＣｅｌｌおよび／またはサービングセルは、ＰＤＣＣＨを介してユーザ機器１０に活性化／非活性化指示を通知し、ここで、活性化／非活性化指示は、少なくとも１つのＳＣｅｌｌ  ３０の非活性化タイマに対する活性化／非活性化を指示し、ネットワークノード２０は、活性化／非活性化指示に従って、少なくとも１つのＳＣｅｌｌ  ３０の非活性化タイマを活性化／非活性化するように構成される。
【００２８】
図１および図４は、いくつかの実施例において、プロセッサ１１または２１は、制御指示を含むＤＣＩに従って、少なくとも１つのＳＣｅｌｌ  ３０の非活性化タイマを制御するように構成されることを示す。
【００２９】
図１および図５は、いくつかの実施例において、ユーザ機器１０とネットワークノード２０との間の少なくとも１つのＳＣｅｌｌの非活性化タイマのための活性化方法４００を示し、前記活性化方法４００は、次のステップを含む。ブロック４０２において、ユーザ機器１０のトランシーバ１３は、活性化されたＳＣｅｌｌ上でＰＤＣＣＨを介してネットワークノード２０から活性化指示を受信し、前記活性化指示は、少なくとも１つのＳＣｅｌｌの非活性化タイマに対する活性化を指示する。ブロック４０４において、ユーザ機器１０のプロセッサ１１は、活性化指示に従って、少なくとも１つのＳＣｅｌｌの非活性化タイマを再開する。言い換えれば、ブロック４０２において、ネットワークノード２０のトランシーバ２３は、活性化されたＳＣｅｌｌ上でＰＤＣＣＨを介してユーザ機器１０に活性化指示を通知し、前記活性化指示は、少なくとも１つのＳＣｅｌｌの非活性化タイマに対する活性化を指示し、ブロック４０４において、ネットワークノード２０のプロセッサ２１は、活性化指示に従って、少なくとも１つのＳＣｅｌｌの非活性化タイマを再開する。いくつかの実施例において、プロセッサ１１または２１は、活性化指示を含むＤＣＩに従って少なくとも１つのＳＣｅｌｌの非活性化タイマを再開するように構成される。
【００３０】
図１および図６は、いくつかの実施例において、ユーザ機器１０とネットワークノード２０との間の少なくとも１つのＳＣｅｌｌの非活性化タイマのための活性化方法５００を示し、前記活性化方法５００は、次のステップを含む。ブロック５０２において、ユーザ機器１０のトランシーバ１３は、サービングセル上でＰＤＣＣＨを介してネットワークノード２０から活性化指示を受信し、前記活性化指示は、少なくとも１つのＳＣｅｌｌの非活性化タイマに対する活性化を指示する。ブロック５０４において、ユーザ機器１０のプロセッサ１１は、活性化指示に従って、少なくとも１つのＳＣｅｌｌの非活性化タイマを開始または再開する。言い換えれば、ブロック５０２において、ネットワークノード２０のトランシーバ２３は、サービングセル上でＰＤＣＣＨを介してユーザ機器１０に活性化指示を通知し、前記活性化指示は、少なくとも１つのＳＣｅｌｌの非活性化タイマに対する活性化指示し、ブロック５０４において、ネットワークノード２０のプロセッサ２１は、活性化指示に従って、少なくとも１つのＳＣｅｌｌの非活性化タイマを開始または再開する。いくつかの実施例において、プロセッサ１１または２１は、活性化指示を含むＤＣＩに従って、少なくとも１つのＳＣｅｌｌの非活性化タイマを開始または再開するように構成される。
【００３１】
図１および図７は、いくつかの実施例において、ユーザ機器１０とネットワークノード２０との間の少なくとも１つのＳＣｅｌｌの非活性化タイマのための非活性化方法６００を示し、前記非活性化方法６００は、次のステップを含む。ブロック６０２において、ユーザ機器１０のトランシーバ１３は、活性化されたＳＣｅｌｌ上でＰＤＣＣＨを介してネットワークノード２０から非活性化指示を受信し、前記非活性化指示は、少なくとも１つのＳＣｅｌｌの非活性化タイマに対する非活性化を指示する。ブロック６０４において、ユーザ機器１０のプロセッサ１１は、非活性化指示に従って、少なくとも１つのＳＣｅｌｌの非活性化タイマを停止する。言い換えれば、ブロック６０２において、ネットワークノード２０のトランシーバ２３は、活性化されたＳＣｅｌｌ上でＰＤＣＣＨを介してユーザ機器１０に非活性化指示を通知し、前記非活性化指示は、少なくとも１つのＳＣｅｌｌの非活性化タイマに対する非活性化を指示し、ブロック６０４において、ネットワークノード２０のプロセッサ２１は、非活性化指示に従って、少なくとも１つのＳＣｅｌｌの非活性化タイマを停止する。いくつかの実施例において、プロセッサ１１または２１は、非活性化指示を含むＤＣＩに従って、少なくとも１つのＳＣｅｌｌの非活性化タイマを停止するように構成される。
【００３２】
図１および図８は、いくつかの実施例において、ユーザ機器１０とネットワークノード２０との間の少なくとも１つのＳＣｅｌｌの非活性化タイマのための非活性化方法８００を示し、前記非活性化方法８００は、ブロック８０２において、ユーザ機器１０のトランシーバ１３は、サービングセル上でＰＤＣＣＨを介してネットワークノード２０から非活性化指示を受信し、前記非活性化指示は、少なくとも１つのＳＣｅｌｌの非活性化タイマに対する非活性化を指示する。ブロック８０４において、ユーザ機器１０のプロセッサ１１は、非活性化指示に従って、少なくとも１つのＳＣｅｌｌの非活性化タイマを停止する。言い換えれば、ブロック８０２において、ネットワークノード２０のトランシーバ２３は、サービングセル上でＰＤＣＣＨを介してユーザ機器１０に非活性化指示を通知し、前記非活性化指示は、少なくとも１つのＳＣｅｌｌの非活性化タイマに対する非活性化を指示し、ブロック８０４において、ネットワークノード２０のプロセッサ２１は、非活性化指示に従って、少なくとも１つのＳＣｅｌｌの非活性化タイマを停止する。いくつかの実施例において、プロセッサ１１または２１は、非活性化指示を含むＤＣＩに従って少なくとも１つのＳＣｅｌｌの非活性化タイマを停止するように構成される。
【００３３】
図９は、本開示の実施例に係る、無線通信用の例示のシステム７００のブロック図である。適切に構成された任意のハードウェアおよび／またはソフトウェアを使用して本明細書で説明される実施例をシステムに実装させることができる。図９はシステム７００を示し、前記システム７００は、少なくとも図に示された、お互いに結合される無線周波数（ＲＦ）回路７１０、ベースバンド回路７２０、アプリケーション回路７３０、メモリ／ストレージ７４０、ディスプレイ７５０、カメラ７６０、センサ７７０および入力／出力（Ｉ／Ｏ）インターフェース７８０を含む。
【００３４】
アプリケーション回路７３０は、１つまたは複数のシングルコアまたはマルチコアプロセッサの回路を含むことができるが、これらに限定されない。プロセッサは、グラフィックプロセッサ、応用プロセッサなどの汎用プロセッサおよび専用プロセッサの任意の組み合せを含むことができる。プロセッサは、メモリ／ストレージに結合されることができ、プロセッサは、様々な応用および／または動作システムがシステムで実行するように、メモリ／ストレージの命令を記憶するように構成される。
【００３５】
ベースバンド回路７２０は、１つまたは複数のシングルコアまたはマルチコアプロセッサの回路を含むことができるが、これらに限定されない。プロセッサは、ベースバンドプロセッサを含むことができる。ベースバンド回路は、無線制御機能の処理を行うことができ、これらの機能はＲＦ回路を介して１つまたは複数の無線ネットワークと通信を行うようにする。無線制御機能は、信号変調、エンコード、デコード、無線周波数シフトなどが含まれるが、これらに限定されない。いくつかの実施例において、ベースバンド回路は、１つまたは複数の無線技術と互換性のある通信を提供することができる。例えば、いくつかの実施例において、ベースバンド回路は進化した汎用陸上無線アクセスネットワーク（ＥＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）および／または他のワイヤレスメトロポリタンエリアネットワーク（ＷＭＡＮ：ｗｉｒｅｌｅｓｓ  ｍｅｔｒｏｐｏｌｉｔａｎ  ａｒｅａ  ｎｅｔｗｏｒｋ）、ワイヤレスローカルエリアネットワーク（ＷＬＡＮ：ｗｉｒｅｌｅｓｓ  ｌｏｃａｌ  ａｒｅａ  ｎｅｔｗｏｒｋ）、ワイヤレスパーソナルエリアネットワーク（ＷＰＡＮ：ｗｉｒｅｌｅｓｓ  ｐｅｒｓｏｎａｌ  ａｒｅａ  ｎｅｔｗｏｒｋ）との通信をサポートすることができる。ここで、ベースバンド回路は、複数の無線プロトコルをサポートする無線通信の実施例をマルチモードベースバンド回路と称するように構成される。
【００３６】
様々な実施例において、ベースバンド回路７２０は、ベースバンド周波数にあると厳密に見なされない信号で動作する回路を含むことができる。例えば、いくつかの実施例において、ベースバンド回路は、中間周波数を有する信号で動作する回路を含むことができ、前記中間周波数は、ベースバンド周波数と無線周波数の間にある。
【００３７】
ＲＦ回路７１０は、変調された電磁放射を使用して、非固体媒体を介して無線ネットワークと通信することができる。様々な実施例において、無線ネットワークとの通信を促進するために、ＲＦ回路は、スイッチ、フィルタ、アンプなどを含むことができる。
【００３８】
様々な実施例において、ＲＦ回路７１０は、無線周波数にあると厳密に見なされない信号で動作する回路を含むことができる。例えば、いくつかの実施例において、ＲＦ回路は、中間周波数の信号で動作する回路を含むことができ、前記中間周波数は、ベースバンド周波数と無線周波数の間にある。
【００３９】
様々な実施例において、ユーザ装置、ｅＮＢまたはｇＮＢに関して上記で説明した送信機回路、制御回路または受信機回路は、ＲＦ回路、ベースバンド回路および／またはアプリケーション回路の１つまたは複数の回路で完全にまたは部分的に具体化され得る。本明細書に使用されるように、「回路」は、１つまたは複数のソフトウェアまたはファームウェアプログラムを実行するＡＳＩＣ、電子回路、プロセッサ（共有、専用またはグループ）および／またはメモリ（共有、専用またはグループ）、論理回路組み合わせおよび／または説明された機能を提供する他の適切なハードウェアコンポーネント、またはこれらの一部、またはこれらを含むものを実行することであり得る。いくつかの実施例において、電子装置回路は、１つまたは複数のソフトウェアまたはファームウェアモジュールで実現することができ、または回路に関する機能は、１つまたは複数のソフトウェアまたはファームウェアモジュールによって実現されることができる。
【００４０】
いくつかの実施例において、ベースバンド回路、アプリケーション回路および／またはメモリ／ストレージの構成部品の一部または全ては、システムオンチップ（ＳＯＣ：ｓｙｓｔｅｍ  ｏｎ  ａ  ｃｈｉｐ）上で実現することができる。
【００４１】
メモリ／ストレージ７４０は、システムに用いられるデータおよび／または命令などをロード、および記憶するために使用され得る。一実施例のメモリ／ストレージは、適切な揮発性メモリ（ダイナミックランダムアクセスメモリ（ＤＲＡＭ：ｄｙｎａｍｉｃ  ｒａｎｄｏｍ  ａｃｃｅｓｓ  ｍｅｍｏｒｙ）など）および／または非揮発性メモリ（フラッシュメモリなど）の任意の組み合わせを含むことができる。
【００４２】
様々な実施例において、Ｉ／Ｏインターフェース７８０は、システムとのユーザの相互作用を可能にするように設計された１つまたは複数のユーザインターフェースおよび／またはシステムとの相互作用を可能にするように設計された周辺コンポーネントインターフェースを含むことができる。ユーザインターフェースは、物理的なキーボードまたはキーパット、タッチパッド、スピーカ、マイクなどを含むことができるが、これらに限定されない。周辺コンポーネントインターフェースは、非揮発性メモリポート、汎用シリアルバス（ＵＳＢ：ｕｎｉｖｅｒｓａｌ  ｓｅｒｉａｌ  ｂｕｓ）ポート、オーディオジャックおよび電源インターフェースを含むことができるが、これらに限定されない。
【００４３】
様々な実施例において、センサ７７０は、システムに関する環境条件および／または位置情報を決定するために、１つまたは複数のセンシング装置を含むことができる。いくつかの実施例において、センサは、ジャイロセンサ、加速度計、接近センサ、環境光センサおよびポジショニングユニットを含むことができるが、これらに限定されない。ポジショニングユニットは、さらに、ポジショニングネットワークのコンポーネント（例えば、グローバルポジショニングシステム（ＧＰＳ：ｇｌｏｂａｌ  ｐｏｓｉｔｉｏｎｉｎｇ  ｓｙｓｔｅｍ）衛星）と通信するために、ベースバンド回路および／またはＲＦ回路の一部、またはベースバンド回路および／またはＲＦ回路の相互作用であり得る。
【００４４】
様々な実施例において、ディスプレイ７５０は、液晶ディスプレイおよびタッチスクリーンディスプレイなどのディスプレイを含むことができる。様々な実施例において、システム７００は、ラップトップコンピューティング装置、タブレットコンピューティング装置、ネットブック、ウルトラブック、スマートフォンなどのモバイルコンピューティング装置であり得るが、これらに限定されない。様々な実施例において、システムは、より多いまたはより少ないコンポーネントおよび／または異なるアーキテクチャを有してもよい。適切な場合、本明細書で説明される方法は、コンピュータプログラムとして実現されることができる。前記コンピュータプログラムは、非一時的記憶媒体などの記憶媒体に記憶されてもよい。
【００４５】
本開示の実施例において、無線通信システムにおける少なくとも１つのＳＣｅｌｌの非活性化タイマを制御するための方法および装置を提供する。本開示の実施例は、最終製品を作成するために３ＧＰＰ仕様に採用することができる技術／プロセスの組み合わせである。
【００４６】
当業者は、本開示の実施例で説明および開示されたユニット、アルゴリズムおよびステップは、電子ハードウェア、またはコンピュータに使用されるソフトウェアおよび電子ハードウェアの組み合せによって実現されることを理解されたい。これらの機能がハードウェアで実行されるかソフトウェアで実行されるかは、技術的解決策の特定の応用および設計の条件に依存する。
【００４７】
当業者は、異なる方式を使用して各特定応用の機能を実現することができ、このような実現は本開示の範囲を超えてはならない。当業者は、前記システム、装置およびユニットの作業プロセスはほぼ同じであり、彼／彼女は前記実施例におけるシステム、装置およびユニットの作業プロセスを参照し得ることを理解されたい。説明の便宜上および簡潔のために、これらの作業プロセスは再び詳細に説明されない。
【００４８】
他の方式を使用して本開示の実施例に開示されたシステム、装置およびユニットを実現することができることを理解されたい。前記実施例は例示的である。ユニットの分割は、単に論理機能に基づき、実現中には他の分割も存在する。複数のユニットまたはコンポーネントは、他のシステムに組み合わせまたは統合されることができる。特定の機能を省略またはスキップすることもできる。もう一方では、示されたまたは説明した相互結合、直接結合、または通信結合は、電気的、機械的、または他の形の一部のポート、デバイスまたはユニットを介して間接的にまたは通信的に動作する。
【００４９】
説明のための分離コンポーネントとしてのユニットは、物理的に分離され、または分離されない。表示するように構成されるユニットは、物理ユニットであってもよく、または物理ユニットでなくてもよく、即ち、１つの位置に配置され、または複数のネットワークユニットに分散される。ユニットの一部または全ては、実施例の目的に従って使用される。さらに、各実施例における各機能ユニットは、１つの物理的に独立した処理ユニットまたは２つ以上のユニットを有する１つの処理ユニットに統合されてもよい。
【００５０】
ソフトウェア機能ユニットが製品として実装、使用または販売される場合、前記ソフトウェア機能ユニットをコンピュータの読み取り可能記憶媒体に記憶することができる。このような理解に基づいて、本開示で提供された技術的解決案は、本質でまたは一部的は、ソフトウェア製品の形で実装される。または、従来の技術に有益な技術的解決案の一部は、ソフトウェア製品の形で実装されることができる。コンピュータにおけるソフトウェア製品は記憶媒体に記憶され、前記ソフトウェア製品は、本開示の実施例に開示されたステップの全てまたは一部に使用される複数の命令である。前記記憶媒体は、ＵＳＢディスク、モバイルハードディスク、読み取り専用メモリ（ＲＯＭ）、ランダムアクセスメモリ（ＲＡＭ）、フロッピーディスクまたはプログラムコードを記憶することができる他の媒体を含む。
【００５１】
本開示は、最も実用的および好ましい実施例と考えられるものを組み合わせて説明したが、本開示は開示された実施例に限定されず、添付の特許請求の範囲の最も広い解釈から逸脱しない範囲で実装された各レイアウトをカバーすることを意図することを理解されたい。
【図１】
2021505047.tif 000003
【図２】
2021505047.tif 000004
【図３】
2021505047.tif 000005
【図４】
2021505047.tif 000006
【図５】
2021505047.tif 000007
【図６】
2021505047.tif 000008
【図７】
2021505047.tif 000009
【図８】
2021505047.tif 000010
【図９】
2021505047.tif 000011
【国際調査報告】
2021505047.tif 000012
2021505047.tif 000013